(57)【要約】【課題】自然に分解できる木製ストローを提供する。【解決手段】本発明は木製ストローであって、中空の管状本体を含み、中空の管状本体が木片により巻かれてなり、中空の管状本体の外面及び内面にもコロイドフィルムで覆われている。このコロイドフィルムは、すべて天然素材で作られたハイドロコロイドであり、ハイドロコロイドを設けることにより、中空の管状本体の硬度を高め、弾力性、柔軟性及び耐湿性などを改善する保護効果を有する。木片はさらに２枚の原木片を含み、全体の靭性と防水効果を高めるために、２枚の原木片同士間にさらに紙シートを設けている。【選択図】図４
2020075092.tif 000002
【特許請求の範囲】
【請求項１】
木片により巻かれてなる中空の管状本体と、
中空の管状本体の外面及び内面を覆っているコロイドフィルムとを含む木製ストロー。
【請求項２】
前記木片は、さらに２枚の原木片を含み、かつ前記２枚の原木片同士間に紙シートが挟んで設けられる請求項１に記載の木製ストロー。
【請求項３】
前記原木片は、バスウッド、バーチ、メープル、イトスギ、ホワイトアッシュ、ゴムの木、桐、ブナ、ヒノキ、ポプラ、スギ、クスノキ、又は松からの木片である請求項２に記載の木製ストロー。
【請求項４】
前記原木片の密度は、少なくとも0.42g/cm3よりも大きい請求項２に記載の木製ストロー。
【請求項５】
前記紙シートは、グラシン、型紙又はコート紙であってもよい請求項２に記載の木製ストロー。
【請求項６】
前記２枚の原木片と前記紙シートを結合するために、前記２枚の原木片同士の間と前記紙シートとの間にさらに第１接着剤がそれぞれ設けられる請求項２に記載の木製ストロー。
【請求項７】
前記第１接着剤及び前記コロイドフィルムは、ハイドロコロイドである請求項６に記載の木製ストロー。
【請求項８】
前記木片の表面に第２接着剤がさらに設けられ、前記木片を巻き取った後前記第２接着剤で接着して前記中空の管状本体を形成する請求項１に記載の木製ストロー。
【請求項９】
前記第２接着剤は、ハイドロコロイドである請求項８に記載の木製ストロー。
【請求項１０】
前記木片は、バスウッド、バーチ、メープル、イトスギ、ホワイトアッシュ、ゴムの木、桐、ブナ、ヒノキ、ポプラ、スギ、クスノキ、又は松からの木片である請求項１に記載の木製ストロー。
【請求項１１】
前記木片の密度は、少なくとも0.42g/cm3よりも大きい請求項１に記載の木製ストロー。
【発明の詳細な説明】
【技術分野】
【０００１】
本発明は、飲用用ストローに関し、特に環境に優しく、素早く自然に分解できる木製ストローに関する。
【背景技術】
【０００２】
ストローは中空の管状物体であり、ほとんどの場合、例えば飲み物を飲むための食器として、液体物体を吸引するために用いられ、飲みやすくて飲み物を優雅に飲むことができる。また、夏は暑くて飲み物を購入する機会が増え、店舗と消費者は利便性のため、また衛生上の問題を考慮して、通常、飲み物を飲む器具としてほとんど使い捨てのプラスチック製ストローを用いる。
【発明の概要】
【発明が解決しようとする課題】
【０００３】
しかし、プラスチックストローの製造用プラスチックは、高分子量の合成樹脂からなり、自然に分解することができず、使用した後プラスチック製ストローに残留した汚れを洗浄し難しく、処理コストが高く、リサイクルが比較的困難であり、現在、焼却炉に投棄して一般の可燃性廃棄物とともに処理されるが、焼却後の残留物、及び焼却中の廃ガスの処理も大きな問題である。
【０００４】
したがって、使い捨てストローによる環境汚染問題を克服するために、現在、再利用可能な環境に優しいストロー、及び環境に優しい使い捨てストローという2種類の環境に優しいストローが開発された。再利用可能な環境に優しいストローのほとんどは、竹、医療用スチール又はガラスなどの素材で作られているが、医療用スチール又はガラスストローの製造コストが高く、ストローの中空部分が狭いため、洗浄装置で深く洗浄することは困難であり、長期的には細菌が繁殖しやすく、体の健康に影響を与える。
【０００５】
環境に優しい使い捨てストローは紙又はバガスの顆粒などで作られるが、紙ストローのコストがプラスチックストローの10倍で、炭酸飲料にさらされると柔らかくなり、耐久性が高くない。バガス造粒ストローは低コストで分解できると強調しているが、バガス造粒ストローにはポリ乳酸(Polylactic Acid，PLA)が含まれているため、バガス造粒ストローの分解には特別な処理を実行しなければならず、そのため、バガス造粒ストローの処理により多くの資源を費やしており、バガス造粒ストローの環境保護価値についてまだ疑問視されている。
【０００６】
上記に鑑みて、本発明は、従来技術の上記欠点を考慮して、上記問題を効果的に克服するために、自然に分解できる木製ストローを提供する。
【０００７】
本発明の主な目的は、天然素材で作られており、自然に分解可能で、かつ分解時間が短く、環境に非常に優しい木製ストローを提供することである。
【０００８】
本発明の別の目的は、コロイドフィルムを設けることにより、弾性、柔軟性及び耐湿性などの効果を有するようになった木製ストローを提供することである。
【０００９】
本発明のさらなる目的は、製造コストが低く、構造が簡単で、加工しやすくて速く、生産効率が高い木製ストローを提供することである。
【課題を解決するための手段】
【００１０】
上記の目的を達成するために、本発明は、木片により巻かれてなる中空の管状本体と、ハイドロコロイドであってもよく、中空の管状本体の外面及び内面を覆っているコロイドフィルムとを含む木製ストローを提供する。
【００１１】
木片はさらに2枚の原木片を含み、2枚の原木片同士間に紙シートが挟んで設けられる。原木片は、バスウッド、バーチ、メープル、イトスギ、ホワイトアッシュ、ゴムの木、桐、ブナ、ヒノキ、ポプラ、スギ、クスノキ、又は松からの木片であってもよく、紙はグラシン、型紙又はコート紙であってもよい。
【００１２】
以下、本発明の目的、技術内容、特徴及びその達成される効果は、具体的な実施例の詳細な説明からより明らかになる。
【図面の簡単な説明】
【００１３】
【図１】本発明の第１実施例の立体図である。
【図２】本発明の第１実施例の巻き取り状態の概略図である。
【図３】本発明の第１実施例による木製ストローを製造するフローチャートである。
【図４】本発明の第２実施形態の立体図である。
【図５】本発明の第２実施例による木片の立体図である。
【図６】本発明の第２実施例による木片の概略分解図である。
【図７】本発明の第２実施例の巻き取り状態の概略図である。
【発明を実施するための形態】
【００１４】
本発明は、低温−３０度（°C）から高温１００度（°C）に耐えることができ、天然素材で作られた使い捨てストローを提供し、本発明の木製ストローは特定の環境に置く必要がなく、使用後１〜６ヶ月で自動的に分解でき、有機肥料としても使用可能であり、非常に環境に優しい。
【００１５】
図１及び図２を参照して、本発明の第１実施例による木製ストローの構造を説明する。図に示すように、本発明の木製ストロー１は、中空の管状本体１０と、中空の管状本体１０の外面及び内面を完全に覆っているコロイドフィルム１２とを含んでいる。 本実施例のコロイドフィルム１２は、すべて天然成分で作られたハイドロコロイドであり、中空の管状本体１０を完全に覆うように、中空の管状本体１０の表面の毛細孔を効果的に貫通することができ、中空の管状本体１０の弾性、柔軟性を向上させ、防水、防湿などの保護効果を有する。
【００１６】
中空の管状本体１０は、木片１４によって巻かれてなり、木片１４に第２接着剤１６がさらに設けられ、第２接着剤１６は粘性があり、すべて天然成分からなるハイドロコロイドである。木片１４が管状に巻かれた後、巻かれた木片１４を第２接着剤１６で接着して中空の管状本体１０を形成する。本実施例で例示される木片１４は、一般的な木材からの薄片であり、例えばバスウッド、バーチ、メープル、イトスギ、ホワイトアッシュ、ゴムの木、桐、ブナ、ヒノキ、ポプラ、スギ、クスノキ、又は松からの木片のように木片１４の密度は0.42g/cm3よりも大きい。上記の木材は、密度が高く、硬度と靭性が高いため、木製ストロー１の耐久性を効果的に向上させることができる。
【００１７】
図１〜３を参照して、木製ストロー１の構造を説明した後、本発明の木製ストロー１の製造方法を説明する。まず、ステップＳ１０に入り、木片１４を巻き取った後、第２接着剤１６で接着して中空の管状本体１０を形成する。次に、ステップＳ１２に入り、中空の管状本体１０を、液体のハイドロコロイドが充填されている容器に入れ、中空の管状本体１０を液体のハイドロコロイドに２時間浸漬し、ハイドロコロイドを中空の管状本体１０表面の毛細孔までに効果的に浸透させ、中空の管状本体10をハイドロコロイドで完全に覆わせる。
【００１８】
最後に、ステップＳ１４に入り、中空の管状本体１０を液体のハイドロコロイドが充填されている容器から取り出して、１０分間風乾させ、その後、中空の管状本体１０及びその表面におけるハイドロコロイドを７５度（°C）の風で１５分間焼き、液体のハイドロコロイドを固化した後、それを中空の管状本体１０の内面及び外面に覆わせ、木製ストロー１の製造を完了する。
【００１９】
上記実施例の構造に加えて、本発明はさらに他の実施例の木製ストロー構造を提供し、図４〜７を参照すると、本実施例の木製ストロー２の構造は、中空の管状本体２０と、中空の管状本体２０の外面及び内面を覆っているコロイドフィルム２２とを含む。コロイドフィルム２２は、すべて天然の成分で作られたハイドロコロイドであり、中空の管状本体20の表面の毛細管孔に効果的に浸透して、中空の管状本体２０を効果的に覆い、中空の管状本体２０の弾力性、柔軟性を高めることができ、防水、防湿などの保護効果を有する。
【００２０】
なお、図５と図６を参照すると、本実施例の木片２４の構造が第１実施例と異なり、本実施例の木片２４は２枚の原木片２４０、２４２を含み、２枚の原木片２４０、２４２の間に紙シート２４４が挟んで設けられ、２枚の原木片２４０、２４２の間と紙シート２４４との間にさらに第１接着剤２４６が設けられ、第１接着剤２４６は粘性があり、すべて天然成分で作られたハイドロコロイドであり、２枚の原木片２４０、２４２と紙シート２４４とを一体に完全に接着させる。原木片２４０、２４２は一般的な木材からの薄片であり、例えばバスウッド、バーチ、メープル、イトスギ、ホワイトアッシュ、ゴムの木、桐、ブナ、ヒノキ、ポプラ、スギ、クスノキ、又は松からの木片のように、その密度が少なくとも0.42g/cm3以上に達する必要があり、上記各木材の密度が高く、靭性と硬度が高く、木製ストロー2の耐久性を効果的に向上させた。紙シート２４４は、グラシン、型紙又はコート紙などの高密度紙であってもよく、高密度紙シート２４４の配置によって木製ストロー２の防水機能及び硬度を高めることができる。
【００２１】
次に、図７を参照すると、２枚の原木片２４０、２４２及び紙シート２４４を一体に完全接着して、木片２４を形成した後、木片２４を巻き取り、粘性のある第２接着剤２６で接着して中空の管状本体２０を形成し、第２接着剤２６がすべて天然成分からなり、それは粘性のある液体ハイドロコロイドである。最後に中空の管状本体２０の内面及び外面にコロイドフィルム２２を形成し、本実施例では、中空の管状本体２０の内外面にコロイドフィルム２２を形成するプロセスが第１実施例と同じであるため、ここで繰り返して説明しない。
【００２２】
上述したように、本発明は天然素材で作られており、1〜6ヶ月後に自然に分解でき、分解時間が短く、環境に非常に優しく、本発明では、コロイドフィルムを設けることにより、木製ストローが弾力性、柔軟性、及び耐湿性の効果を持つようになった。さらに、本発明は、製造コストが低く、構造が単純で、加工しやすくて速く、高い生産効率を有する。
【００２３】
上記は本発明の好ましい実施例に過ぎず、本発明の実施範囲を限定することを意図するものではない。したがって、本発明の出願範囲に記載された特徴及び趣旨に従って行われたあらゆる変更又は修正は、本発明の出願特許範囲に含まれるべきである。
【符号の説明】
【００２４】
１ 木製ストロー
１０ 中空の管状本体
１２ コロイドフィルム
１４ 木片
１６ 第２接着剤
２ 木製ストロー
２０ 中空の管状本体
２２ コロイドフィルム
２４ 木片
２４０  原木片
２４２ 原木片
２４４ 紙シート
２４６  第１接着剤
２６ 第２接着剤
【図１】
2020075092.tif 000003
【図２】
2020075092.tif 000004
【図３】
2020075092.tif 000005
【図４】
2020075092.tif 000006
【図５】
2020075092.tif 000007
【図６】
2020075092.tif 000008
【図７】
2020075092.tif 000009